(57)【要約】【課題】各ドラムを安定して支持しつつ、各ドラムの位置調節が容易なマーチングドラムの支持装置、マーチングテナードラムを提供する。【解決手段】固定フレーム１２の近傍に略弧状に連続して配設される４つのドラム（２〜５）のうち、右側端に位置するドラム２とその隣のドラム３とからなる第１ドラム部２２は第１固定部材１３によりその相対位置が固定される。左端側に位置するドラム５とその隣のドラム４とからなる第２ドラム部２３は第２固定部材１４によりその相対位置が固定される。第１ドラム部２２と第２ドラム部２３とは、第３連結機構１７で相対回動可能に連結され、第１ドラム部２２は第１連結機構１５で固定フレーム１２に回動可能に連結され、第２ドラム部２３は第２連結機構１６で固定フレーム１２に回動可能に連結される。【選択図】      図１
2006184856.tif 000002
【特許請求の範囲】
【請求項１】
少なくとも４個のドラムが略弧状をなすように連続して配列されたマーチングテナードラムの前記各ドラムを、それらの配列位置を固定フレームに対して調節可能に連結して支持し、且つ前記固定フレームが演奏者の体に保持されるマーチングテナードラムの支持装置であって、
前記各ドラムのうちいずれかの連続する２個又は３個のドラムにより構成されるドラムセット内でのドラムの相対位置を固定する固定手段と
前記ドラムセットを構成するドラムと前記ドラムセットに隣接して位置するドラムとの相対位置を調節可能に連結する連結手段と
を有することを特徴とするマーチングテナードラムの支持装置。
【請求項２】
前記各ドラムのうち、前記演奏者から見て左右方向の一端に位置する一端側ドラムを独立して回動可能とする第１回動手段と、前記演奏者から見て左右方向の他端に位置する他端側ドラムを独立して回動可能とする第２回動手段とを有することを特徴とする請求項１に記載のマーチングテナードラムの支持装置。
【請求項３】
前記各ドラムのうち、前記演奏者から見て左右方向の一端に位置する一端側ドラムと当該一端側ドラムの隣のドラムとを固定する第１固定手段と、前記演奏者から見て左右方向の他端に位置する他端側ドラムと当該他端側ドラムの隣のドラムとを固定する第２固定手段とを有することを特徴とする請求項１に記載のマーチングテナードラムの支持装置。
【請求項４】
前記各ドラムのうち、前記一端側ドラムを含み、隣り合う複数のドラムからなる第１ドラム部において、当該第１ドラム部を構成するドラムの相対位置を固定する第１ドラム部固定手段と、
前記各ドラムのうち、前記他端側ドラムを含み、前記第１ドラム部に含まれない他の全ての隣り合う複数のドラムからなる第２ドラム部において、当該第２ドラム部を構成するドラムの相対位置を固定する第２ドラム部固定手段と、
前記固定フレームに対して前記第１ドラム部を前記演奏者から見て少なくとも左右方向に移動可能、かつ、回動可能に連結する第１連結手段と、
前記固定フレームに対して前記第２ドラム部を少なくとも前記左右方向に移動可能、かつ、回動可能に連結する第２連結手段と、
前記第１ドラム部と前記第２ドラム部とを回動可能に連結する第３連結手段と
を有することを特徴とする請求項３に記載のマーチングテナードラムの支持装置。
【請求項５】
略弧状をなすように連続して配列された４つのドラムのうち、前記第１連結手段は前記一端側ドラムとその隣のドラムとを連結し、前記第２連結手段は前記他端側ドラムとその隣のドラムとを連結し、前記第３連結手段は前記４つのドラムのうち中央に設けられる２つのドラムを連結することを特徴とする請求項４に記載のマーチングテナードラムの支持装置。
【請求項６】
前記固定フレームは、多角形状を含む環状に形成されたことを特徴とする請求項４又は請求項５に記載のマーチングテナードラムの支持装置。
【請求項７】
前記ドラムが配列された配列面から下方に延設される脚部を少なくとも前記固定フレームに有することを特徴とする請求項１乃至請求項６のうちいずれか１項に記載のマーチングテナードラムの支持装置。
【請求項８】
前記脚部は着脱可能に取り付けられていることを特徴とする請求項７に記載のマーチングテナードラムの支持装置。
【請求項９】
前記脚部は少なくとも３箇所に取り付けられていることを特徴とする請求項７又は請求項８に記載のマーチングテナードラムの支持装置。
【請求項１０】
前記固定フレームは、
前記演奏者に最も近接した位置にあって前記演奏者から見て左右方向に延設される長手方向の長辺部と、
当該長辺部の両端部から前記演奏者の前方へ延設される短辺部と、
前記長辺部に設けられ、前記長辺部と前記各短辺部とで囲まれた枠内に配置される枠内ドラムの前記演奏者から見て前後方向位置を調節する枠内ドラム前後方向位置調節手段とを有することを特徴とする請求項４乃至請求項９のうちいずれか１項に記載のマーチングテナードラムの支持装置。
【請求項１１】
前記固定フレームは、
前記演奏者に最も近接した位置にあって前記演奏者から見て左右方向に延設される長手方向の長辺部と、
当該長辺部の両端部から前記演奏者の前方へ延設される短辺部と、
前記長辺部に設けられ、前記長辺部と前記各短辺部とで囲まれた枠内に配置される枠内ドラムの上下方向位置を調節する枠内ドラム上下方向位置調節手段と
を有することを特徴とする請求項４乃至請求項１０のうちいずれか１項に記載のマーチングテナードラムの支持装置。
【請求項１２】
前記枠内ドラム前後方向位置調節手段と前記枠内ドラム上下方向位置調節手段とが一体に設けられていることを特徴とする請求項１１に記載のマーチングテナードラムの支持装置。
【請求項１３】
請求項１乃至請求項１２のうちいずれか１項に記載のマーチングテナードラムの支持装置を備えたマーチングテナードラム。
【発明の詳細な説明】
【技術分野】
【０００１】
本発明は、複数個のドラムが配列されたマーチングテナードラムの支持装置、マーチングテナードラムに関する。
【背景技術】
【０００２】
従来、マーチングテナードラムは、例えば演奏者の前面を取り囲むように弧状に配列される４個〜６個の大径のドラムと、それらの大径ドラムと演奏者との間に配列される小径ドラムとを含む複数のドラムから構成されている。マーチングテナードラムは、演奏者が身体の前面側に保持して歩行しながら演奏するものであり、従来から、これらの複数のドラムを演奏者が身体に保持するための支持装置として、特許文献１に記載の支持装置が知られている。この支持装置は、演奏者が胴体の前面側に装着するキャリアー（保持具）に連結されるものであり、この支持装置を介してマーチングテナードラムは各ドラムの相互位置関係を維持した状態で演奏者に保持されるようになっている。このマーチングテナードラムでは、キャリアーのジェイロッドが取り付けられているメンバをシリンダ上で変位させることで、各ドラムと演奏者との間の距離を調節していた。
【０００３】
さらに、このようなマーチングテナードラムの支持装置にあって、各ドラム間の位置関係を調整できるようにした支持装置が知られている。図１６は、こうしたマーチングテナードラムの支持装置の一例を示す概略平面図である。なお、図１６において、マーチングテナードラムの装着時に演奏者から見て前方を「前」、右方を「右」として説明する。図１６に示すように、マーチングテナードラム１２１は４つの大径ドラム１２２〜１２５と１つの小径ドラム１２６の、合計５つのドラムから構成されている。４つの大径ドラム１２２〜１２５は略弧状に配列され、その弧状に配列された各大径ドラム１２２〜１２５の内側に、小径ドラム１２６が配列されている。支持装置１３１は、コ字形状のフレーム１３２と、各大径ドラム１２２〜１２５を相対回動可能に連結する３つの連結機構１３３，１３４，１３５とを含んで構成されている。
【０００４】
図１７は、支持装置１３１の主要部であるフレーム１３２の構成を示す斜視図である。図１７に示すように、フレーム１３２は、コ字形状をなすフレーム１３２の長辺部を形成する左右アーム１３６と、コ字形状をなすフレーム１３２の２つの短辺部を形成する前後アーム１３７とを含んで構成されている。左右アーム１３６の左右両端には、キャリアーのＪ字形状部材（図示略）が差し込まれる差込口１３８を形成したホルダー部１３９が、左右アーム１３６に対してスライド可能に設けられている。さらに、前後アーム１３７には、各大径ドラム１２２〜１２５のうち両端に位置する大径ドラム１２２，１２５をフレーム１３２に対して回動可能に連結する大径ドラム連結機構１４１が、前後アーム１３７に前後方向へ延びるように形成された長孔１４２に沿って前後方向へのスライド可能に設けられている。
【０００５】
このようにフレーム１３２と３つの連結機構１３３，１３４，１３５とから構成される支持装置１３１では、大径ドラム連結機構１４１を前後アーム１３７の長孔１４２に沿って前後方向にスライドさせれば、各大径ドラム１２２〜１２５の前後方向の位置を調節することができる。また、ホルダー部１３９を左右アーム１３６に対して左右方向にスライドさせれば、それに伴い大径ドラム連結機構１４１の左右方向の位置を内側に寄せたり外側にしたりできるため、大径ドラム１２２〜１２５の左右方向の位置を調節することができる。
【特許文献１】米国特許第６１７２２９０号明細書
【発明の開示】
【発明が解決しようとする課題】
【０００６】
しかし、上記した支持装置１３１では、各大径ドラム１２２〜１２５のいずれもが３つの連結機構１３３〜１３５及び大径ドラム連結機構１４１で相対回動可能に連結されている。
【０００７】
この構成において、例えば、各大径ドラム１２２〜１２５の前後方向の位置を調節したい場合がある。その際に、左右の大径ドラム連結機構１４１をそれぞれ前後方向にスライドさせると、各大径ドラム１２２〜１２５の間には回動可能な連結機構１３３，１３４，１３５が多数あるため、そのスライド動作に伴い各大径ドラム１２２〜１２５がいずれかの連結機構でその都度不規則に動いてしまう。また、各大径ドラム１２２〜１２５の左右方向の位置を調節する際にも、同様の理由で、ホルダー部１３９の左右方向のスライド動作に伴い各大径ドラム１２２〜１２５が種々に動いて位置が変わってしまっていた。
【０００８】
また、例えば、中央にある２つの大径ドラム１２３，１２４の前後方向の位置は既に調節された所望の位置にあり、左右両端に位置する２つの大径ドラム１２２，１２５の左右方向の位置のみを調節したい場合がある。このとき、ホルダー部１３９を左右方向にスライドさせると、それに伴い中央の２つの大径ドラム１２３，１２４が不用意にかつ不確定に動いてしまい、既に調整されて所望の位置にあった中央の２つの大径ドラム１２３，１２４における前後方向の位置が変わってしまうことがあった。
【０００９】
このとき、ホルダー部１３９を左右方向にスライドさせると、同時にホルダー部１３９に設けられた差込口１３８に差し込まれたＪ字形状部材の一端の位置も左右方向に移動される。このＪ字形状部材はキャリアーに他端が回動可能に固定されているため、演奏者とフレーム１３２との距離が変化し、結局、演奏者と各ドラムとの前後方向の位置関係まで変化してしまう。
【００１０】
逆に、例えば、フレーム１３２と演奏者の間の距離だけ変更したいと思う場合がある。この場合、差込口１３８の間隔を変化させれば、ホルダー部１３９自体も同時にスライドさせることになるため、フレーム１３２全体の左右方向の長さも変化する。そうすると、必然的に大径ドラム連結機構１４１の左右方向の幅や位置関係まで変化してしまう。そうすると、左右両端に位置する２つの大径ドラム１２２，１２５の左右方向位置が変化し、それに伴って中央にある２つの大径ドラム１２３，１２４の位置も変化してしまう。
【００１１】
このように、主に左右両端の大径ドラム１２２，１２５の左右方向位置だけを調節したい場合や、各大径ドラム１２２〜１２５全体の前後方向位置だけを調節したい場合でも、ホルダー部１３９のスライド動作に伴い、各大径ドラム１２２〜１２５（特に中央の２つの大径ドラム１２３，１２４）やＪ字形状部材を係止する差込口１３８が、連鎖的に動いてしまう。そのため、各大径ドラム１２２〜１２５の動きが複雑となり、位置調節がしにくいという問題があった。
【００１２】
また、こうした位置調節時においてホルダー部１３９や大径ドラム連結機構１４１をスライドさせた場合、そのスライドによる左右方向や前後方向に作用する力が連結機構１３３〜１３５，１４１ではトルクとして作用する。そして、これらのトルクが連結機構１３３〜１３５，１４１にかかることで、各大径ドラム１２２〜１２５に予測しない回動を生じさせることもある。したがって、各ドラムの相対位置が固定されたマーチングテナードラムに比較して各ドラム１２２〜１２５の位置関係を調整するために可動部分（各連結機構１３３〜１３５，１４１）が多い従来の支持装置１３１を備えたマーチングテナードラムは、全体としてドラム支持状態の安定性に欠けるという問題もあった。
【００１３】
さらに、装置構成が複雑であると共に、部材が多く重量が増すという問題もあった。
本発明は、このような問題に鑑みてなされたものであり、その目的は、各ドラムを安定して支持しつつ、各ドラムの位置調節が容易なマーチングテナードラムの支持装置、及びマーチングテナードラムを提供することにある。
【課題を解決するための手段】
【００１４】
上記目的を達成するため、請求項１に記載のマーチングテナードラムの支持装置は、略弧状に連続して配設される４個以上のドラムを含む複数個のドラムが配列されたマーチングテナードラムの前記ドラムの配列位置を調節可能に連結して支持し、演奏者の体に保持される保持具に連結されるマーチングテナードラムの支持装置であって、略弧状に連続して配設された前記ドラムのうちいずれか隣接するドラムの相対位置を調節可能に連結する連結手段と、前記ドラムのうち、いずれか連続する２個又は３個の前記ドラムの相対位置を固定する、少なくとも１つの固定手段とを有することを特徴とする。
【００１５】
請求項２に記載の発明は、請求項１に記載のマーチングテナードラムの支持装置において、略弧状に連続して配設され、且つ相対位置が調節可能とされた前記ドラムのうち、前記演奏者から見て左右方向の一端に位置するドラムを独立して回動可能とする第１回動手段と、前記演奏者から見て左右方向のもう一端に位置するドラムを独立して回動可能とする第２回動手段とを有することを特徴とする。
【００１６】
請求項３に記載の発明は、請求項１に記載のマーチングテナードラムの支持装置において、略弧状に連続して配設され、且つ相対位置が調節可能とされた前記ドラムのうち、前記演奏者から見て左右方向の一端に位置する片側端ドラムと当該片側端ドラムの隣のドラムとを固定する第１固定手段と、前記演奏者から見て左右方向のもう一端に位置する他側端ドラムと当該他側端ドラムの隣のドラムとを固定する第２固定手段とを有することを特徴とする。
【００１７】
請求項４に記載の発明は、請求項３に記載のマーチングテナードラムの支持装置において、略弧状に連続して配設され、且つ相対位置が調節可能とされた前記ドラムのうち、前記片側端ドラムを含み、隣り合う複数の前記ドラムからなる第１ドラム部において、当該第１ドラム部を構成する前記ドラムの相対位置を固定する第１ドラム部固定手段と、前記他側端ドラムを含み、略弧状に連続して配設される前記ドラムのうち前記第１ドラム部に含まれない他の全ての隣り合う複数の前記ドラムからなる第２ドラム部において、当該第２ドラム部を構成するドラムの相対位置を固定する第２ドラム部固定手段と、近傍に前記第１ドラム部及び前記第２ドラム部が配置され、前記ドラムを支持する固定フレームと、前記固定フレームに対して前記第１ドラム部を前記演奏者から見て少なくとも左右方向に移動可能、かつ、回動可能に連結する第１連結手段と、前記固定フレームに対して前記第２ドラム部を少なくとも前記左右方向に移動可能、かつ、回動可能に連結する第２連結手段と、前記第１ドラム部と前記第２ドラム部とを回動可能に連結する第３連結手段とを有することを特徴とする。
【００１８】
請求項５に記載の発明は、請求項４に記載のマーチングテナードラムの支持装置において、前記固定フレームの近傍に略弧状に連続して配設され、且つ相対位置が調節可能とされた４つの前記ドラムのうち、前記第１連結手段は前記片側端ドラムとその隣のドラムとを連結し、前記第２連結手段は前記他側端ドラムとその隣のドラムとを連結し、前記第３連結手段は前記ドラムのうち中央に設けられる２つのドラムを連結することを特徴とする。
【００１９】
請求項６に記載の発明は、請求項４又は請求項５に記載のマーチングテナードラムの支持装置において、前記固定フレームは、多角形状を含む環状に形成されたことを特徴とする。
【００２０】
請求項７に記載の発明は、請求項１乃至請求項６のいずれか１項に記載のマーチングテナードラムの支持装置において、前記ドラムが配列された配列面から下方に延設される脚部を有することを特徴とする。
【００２１】
請求項８に記載の発明は、請求項７に記載のマーチングテナードラムの支持装置において、前記脚部は着脱可能に取り付けられていることを特徴とする。
請求項９に記載の発明は、請求項７又は請求項８に記載のマーチングテナードラムの支持装置において、前記脚部は少なくとも３箇所に取り付けられていることを特徴とする。
【００２２】
請求項１０に記載の発明は、請求項４乃至請求項９のいずれか１項に記載のマーチングテナードラムの支持装置において、前記固定フレームは、前記演奏者に最も近接した位置にあって前記演奏者から見て左右方向に延設される長手方向の長辺部と、当該長辺部の両端部から前記演奏者の前方へ延設される短辺部と、前記長辺部に設けられ、前記長辺部と前記各短辺部とで囲まれた枠内に配置される枠内ドラムの前記演奏者から見て前後方向位置を調節する枠内ドラム前後方向位置調節手段とを有することを特徴とする。
【００２３】
請求項１１に記載の発明は、請求項４乃至請求項１０のいずれか１項に記載のマーチングテナードラムの支持装置において、前記固定フレームは、前記演奏者に最も近接した位置にあって前記演奏者から見て左右方向に延設される長手方向の長辺部と、当該長辺部の両端部から前記演奏者の前方へ延設される短辺部と、前記長辺部に設けられ、前記長辺部と前記各短辺部とで囲まれた枠内に配置される枠内ドラムの上下方向位置を調節する枠内ドラム上下方向位置調節手段とを有することを特徴とする。
【００２４】
請求項１２に記載のマーチングテナードラムの支持装置は、請求項１０に記載の前記枠内ドラム前後方向位置調節手段と、請求項１１に記載の前記枠内ドラム上下方向位置調節手段とが一体に設けられていることを特徴とする。
【００２５】
請求項１３に記載のマーチングテナードラムは、請求項１乃至請求項１２のいずれか１項に記載のマーチングテナードラムの支持装置を備えたことを特徴とする。
【発明の効果】
【００２６】
本発明によれば、各ドラムを安定して支持しつつ、各ドラムの位置調節を容易にすることができる。
【発明を実施するための最良の形態】
【００２７】
以下、本発明のマーチングテナードラムの支持装置及びマーチングテナードラムを具体化した一実施形態を図１〜図１３にしたがって、全体の概要構成、各部の詳細構成、さらに作用の順に説明する。
【００２８】
（全体の概要構成）
図１は、本実施形態のマーチングテナードラムの支持装置の一例を示す図であって、使用時における態様を示す概略平面図である。演奏者は、周知のキャリアーに連結される本発明のマーチングテナードラムの支持装置を介してマーチングテナードラムを保持するものである。なお、使用時において演奏者から見て前方を「前」、右方を「右」として以下説明する。図１に示すように、マーチングテナードラム１は４つの大径ドラム２，３，４，５と２つの小径ドラム６，７の、合計６つのドラム２〜７から構成されている。４つの大径ドラム２〜５は略弧状に配列され、その弧状に配列された各大径ドラム２〜５の内側に、２つの小径ドラム６，７が配列されている。なお、本明細書における「マーチングテナードラム１」とは、これらの複数の各ドラムで構成されるドラムセットを意味する概念である。
【００２９】
マーチングテナードラム１の支持装置１１（以下、単に「支持装置１１」という。）は、横長の略長方形形状の固定フレーム１２を有し、この固定フレーム１２を中心に、第１固定部材１３、第２固定部材１４、第１連結機構１５、第２連結機構１６、第３連結機構１７、ホルダー部１８、小径ドラム取付部１９、及び脚部２１を含んで構成されている。
【００３０】
第１固定部材１３は、右側２つの隣り合う大径ドラム２，３を、両ドラム２，３の胴体部において連結して固定する。第２固定部材１４は、左側２つの隣り合う大径ドラム４，５を両ドラム４，５の胴体部において連結して固定する。これにより、大径ドラム２と大径ドラム３とで第１ドラム部２２が構成され、１組のドラムセットとして一体で取り扱われる。また、同様に大径ドラム４と大径ドラム５とで第２ドラム部２３が構成され、１組のドラムセットとして一体で取り扱われる。また、これらの第１ドラム部２２及び第２ドラム部２３は、略弧状に連続して配設された各大径ドラム２，３，４，５のうち、固定手段で固定された、いずれかの連続する２個（又は３個）のドラムに相当する。
【００３１】
第１連結機構１５は、固定フレーム１２の右前隅に位置し、固定フレーム１２に対して第１ドラム部２２を回動可能に連結している。第２連結機構１６は、固定フレーム１２の左前隅に位置し、第１連結機構１５と同様に固定フレーム１２に対して第２ドラム部２３を回動可能に連結している。第３連結機構１７は、大径ドラム３と大径ドラム４との間に設けられ、第１ドラム部２２と第２ドラム部２３とを回動可能に連結している。なお、この第１連結機構１５及び第２連結機構１６は、大径ドラム２，５の左右方向位置調節における操作部として機能する。
【００３２】
固定フレーム１２の後側長辺部に設けられる２つのホルダー部１８には、差込孔８８（図８（ｃ）参照）が形成されており、この差込孔８８に、キャリアー８の胴当部９に一端が回動可能に固定されたＪ字形状部材１０が下側から差し込まれて、キャリアー８と支持装置１１とが一体化されている。なお、このホルダー部１８は、各ドラム２〜７の前後方向位置調節における操作部として機能する。
【００３３】
固定フレーム１２の後側長辺部の略中央に設けられる小径ドラム取付部１９は、小径ドラム６，７を共に支持し、この小径ドラム６，７の前後方向及び上下方向、左右方向の位置調節における操作部としても機能する。
【００３４】
脚部２１は、固定フレーム１２の後側長辺部の左右両端部と第３連結機構１７との合計３箇所に設けられている。
このように構成される支持装置１１によれば、第１ドラム部２２を構成する各大径ドラム２，３は、互いの相対位置が固定されているため、各ドラム２〜５の位置調節時において一体に動作する。第２ドラム部２３についても、同様である。
【００３５】
以下、支持装置１１を構成する各構成部分について、順に詳細に説明する。
（固定フレーム１２）
固定フレーム１２は、演奏者から最も離間した位置にあって左右方向に延設される第１長辺部３１と、演奏者に最も近接した位置にある第２長辺部３２と、これらの第１長辺部３１と第２長辺部３２とを両端で接続する２つの短辺部３３とで構成されている。
【００３６】
（第１連結機構１５、第２連結機構１６）
図２は、第１連結機構１５の構成を示す平面図であって、図３は、図２におけるＡ−Ａ線断面図である。なお、図２においては、大径ドラム２，３及びドラム接続部材３４を、二点鎖線で示している。また、図３においては、手前側の固定フレーム１２を参考のため、二点鎖線で示している。
【００３７】
図２に示すように、第１連結機構１５は、大径ドラム３と大径ドラム２とを接続（固定）するドラム接続部材３４と、固定フレーム１２に固定されるスライドベース部３５と、このスライドベース部３５上をスライド可能なスライドプレート３６とを含んで構成される。ドラム接続部材３４は、平面視で略く字状に屈曲した形状であって、大径ドラム２，３の胴体部３７（図３参照）に、胴体部３７の内側から挿入される２つのねじ３８（図３参照）によって取り付けられている。一方、スライドベース部３５は、２つのねじ３９，４０（図３参照）によって固定フレーム１２に取り付けられている。
【００３８】
図３に示すように、スライドプレート３６は、縦断面視で略クランク状に屈曲した形状をなすプレート状の部材である。このスライドプレート３６の左右方向の中途から一端側（図３において右端側）は、まず中途から上方に垂直に屈曲され、上端部でスライドベース部３５に沿って一旦水平面である最上面３６ａを形成し、先端部が下方に屈曲されて、スライドベース部３５に掛止されるように形成されている。一方、このスライドプレート３６の左右方向の中途から他端側（図３において左端側）は、平坦に形成された最下面３６ｂを備え、平面視で先端にアールが付けられた形状となっている。そして、この部分の略中央に、軸４３が、ねじ４４により上方に向けて取り付けられている。軸４３は、円柱状の形状の大径部４３ｂの上部に雄ねじが刻設された小径部４３ａを備え、大径部４３ｂの下端が末広がりのテーパ部４２として形成されている。一方、ドラム接続部材３４の屈曲した部分には、この軸４３の形状に対応した孔５０が上下方向に穿設されている。軸４３は、この孔５０に下方から挿入されている。そして、軸４３は、上端の小径部４３ａがドラム接続部材３４から上方に突出するとともに、テーパ部４２がドラム接続部材３４の孔５０の下方開口部分に当接している。このテーパ部４２において、軸４３は、該軸４３が挿入されるドラム接続部材３４側の孔５０との組み付け誤差を吸収し得るようになっている。そして、ドラム接続部材３４の上部から突出した軸４３の小径部４３ａには、ばね座金４１とワッシャー４５を介して嵌め込まれる丸頭六角ナット４６が螺合している。この六角ナット４６を締め込む程度で、テーパ部４２と孔５０との間の摩擦力を調整でき、大径ドラム２、３にて構成される第１ドラム部２２を適度な摩擦抵抗で軸４３を中心に回動できるようになっている。
【００３９】
図２に示すように、スライドベース部３５の上部に配置されたスライドプレート３６の最上面３６ａには左右に長い長孔４７が形成されている。そして、図３に示すように、スライドプレート３６の最上面３６ａの上方から挿入される係止軸４８が、その下部でスライドベース部３５に螺着されている。そして、スライドプレート３６の最上面３６ａより突出した係止軸４８の外周には、ワッシャー４９を介して角頭ナット５１が螺合されている。
【００４０】
これにより、角頭ナット５１を締めたり緩めたりすることでスライドプレート３６をスライドベース部３５に押さえ付ける力を調整できるため、角頭ナット５１を緩めた場合には、長孔４７の範囲内でスライドプレート３６はスライドベース部３５上を左右にスライドすることができるようになっている。なお、スライドプレート３６は、上記のように左右方向の移動は許容されるが、左右に移動した状態でも固定フレーム１２に直接固定されたスライドベース部３５に下方へ屈曲した先端部が掛止されて重量が支えられるとともに、このスライドベース部３５に掛止されたことにより前後方向への移動が規制される。そのため、図１７に示した従来の大径ドラム連結機構１４１により各ドラムを回動可能に連結支持した場合と比較して、本実施形態の第１連結機構１５の場合は、剛性が極めて高く、軸が撓んだりねじが緩んだりして、各ドラムの支持が不安定になることがない。
【００４１】
なお、上記では、第１連結機構１５について説明したが、第２連結機構１６においてもその構成は、略対称形状であり略同様であるので、詳しい説明は省略する。
（第３連結機構１７）
第３連結機構１７においては、上記第１連結機構１５にて説明した固定フレーム１２側に設けられるスライドベース部３５やスライドプレート３６等の部材は備えておらず、その構成は異なるが、軸を共有する動作については基本的に同様である。図４は、第３連結機構１７の構成を示す図であって、図１におけるＢ−Ｂ線断面図である。図４に示すように、大径ドラム３の胴体部３７にねじ３７ａで固定された第１接続部材５５と、大径ドラム４の胴体部５６にねじ５６ａで固定された第２接続部材５７とは、共通の軸５８を有している。軸５８はその下端を第２接続部材５７内に螺合されており、第１接続部材５５の上部から突出した軸５８の上端にワッシャー５９を介して嵌め込まれた角頭ナット６１が軸５８に螺合することによって、第１接続部材５５と第２接続部材５７とが連結されている。
【００４２】
なお、角頭ナット６１を締めたり緩めたりすることで第１接続部材５５を上下方向に押圧する力を調整できる。このため、角頭ナット６１を緩めた場合には第１接続部材５５は軸５８を中心に回動でき、角頭ナット６１を締めた場合には回動が規制される。すなわち、軸５８により大径ドラム３と大径ドラム４とは任意に相対回動可能に連結されている。
【００４３】
（脚部２１）
また、第２接続部材５７には、上端にねじ部材６２を有する脚部２１が下方からねじ込まれて取り付けられている。さらに、脚部２１の下端にはゴム製のキャップ６３が取り付けられている。
【００４４】
なお、図１に示したように、脚部２１は、この第３連結機構１７に設けられる他、固定フレーム１２の第２長辺部３２の両端部（短辺部３３の手前隅にも相当する。）にもそれぞれ設けられている。図５は、第２長辺部３２の左端部に設けられる脚部２１の取付け部分を示す左側面図であり、図６は、上のねじ６５の位置での水平断面図である。図５、図６に示すように、固定フレーム１２の側面には、取付部材６４がねじ６５によって固定されている。そして、取付部材６４に対して脚部２１が下方からねじ込まれて取り付けられている。詳細な構成は、上記した第３連結機構１７の下方に設けられる脚部２１と同様であるため省略する。
【００４５】
（第１固定部材１３、第２固定部材１４）
第１固定部材１３は、図１に示したように大径ドラム２と大径ドラム３を連結しており、一部が湾曲したアーム形状であって、大径ドラム２，３の胴体部に、胴体部の内側から挿入される２つのねじ（図示略）によって取り付けられている。この構成は、第１連結機構１５におけるドラム接続部材３４（図３参照）の取付け態様と略同様であるので詳細図面は省略する。
【００４６】
また、第２固定部材１４は、上記したように大径ドラム４と大径ドラム５を連結しており、その構成は第１固定部材１３と左右が逆である他は同様であるので詳しい説明は省略する。
【００４７】
（ホルダー部１８）
次に、固定フレーム１２の手前側長辺部（第２長辺部３２）に設けられる（図１参照）２つのホルダー部１８の構造について説明する。なお、２つのホルダー部１８は、左右が逆である他は同様の構成であるため、ここでは左側のホルダー部１８を例にその構成を説明することとする。図７は、左側のホルダー部１８の構造を示す正面図（演奏者側から見た図）である。また、図８（ａ）は、図７におけるＣ−Ｃ線断面図、（ｂ）は、図７におけるＤ−Ｄ線断面図、（ｃ）は、図７におけるＥ−Ｅ線断面図である。さらに、図９は、図７におけるＦ−Ｆ線断面図である。
【００４８】
図７、図９に示すように、ホルダー部１８は、キャリアー８（図１参照）のＪ字形状部材１０が差し込まれる（図８（ｃ）参照）キャリアー連結部７１と、ホルダー接続部７２と、これらのホルダー接続部７２とキャリアー連結部７１とを一体化する回転軸７３と、角度調節ボルト７４とを含んで構成される。
【００４９】
図８（ｂ）に示すように、ホルダー接続部７２は、固定フレーム１２の内側である第２長辺部３２の裏面７５（演奏者から見て前方側の面）に当接している。固定フレーム１２には、上下に並んだ２つの水平かつ平行に穿設された長孔７７が形成されている。そして、図７に示すような第２長辺部の表面７６（演奏者手前側の面）側から、この長孔７７にボルト７８が挿入され、これらのボルト７８に第２長辺部３２の裏面７５側から嵌め込まれるナット７９が螺合することでホルダー接続部７２が固定フレーム１２に取り付けられている。なお、図８（ｂ）に示すように、第２長辺部３２の表面７６とボルト７８との間には、接続用プレート８１及びワッシャー８２が設けられている。そして、２つのボルト７８を締めたり緩めたりすることで固定フレーム１２を前後方向に挟み込む力を調整できるため、ボルト７８を緩めた場合にはホルダー接続部７２（ホルダー部１８）は、長孔７７の範囲内で左右方向にスライドできるようになっている。
【００５０】
さらに、図９に示すように、キャリアー連結部７１の上部が、ホルダー接続部７２の上部に回転軸７３により連結される。
この回転軸７３は、円柱状の軸部７３ｂと、それより大径の頭部７３ａと、先端部に設けられた、軸部７３ｂよりも小径の雄ネジ部７３ｃから構成されている。
【００５１】
ホルダー接続部７２の上部には、第２長辺部３２の枠外側において、この第２長辺部３２に沿って貫通するように水平な貫通孔７２ａが設けられている。
一方、キャリアー連結部７１の上部にも、貫通孔７１ａが設けられている。そして、回転軸７３は、左方向から、キャリアー連結部７１の貫通孔７１ａを貫通し、さらにホルダー接続部７２の貫通孔７２ａを貫通し、回転軸７３の先端に設けられた雄ネジ部７３ｃがホルダー接続部７２の右側から突出する。
【００５２】
このとき、キャリアー連結部７１の貫通孔７１ａより径の大きな頭部７３ａは、金属製のワッシャ８７を介しキャリアー連結部７１の貫通孔７１ａの左側の開口部の周縁に掛止される。また、ホルダー接続部７２の右側から突出した雄ネジ部７３ｃには、ナット８０が螺合される。このとき、ナット８０は、回転軸７３の軸部７３ｂと雄ネジ部７３ｃの段部に金属製のワッシャ８３を介して当接し、回転軸７３の脱抜を防止するとともに、それ以上ナット８０を締め込めないように構成されている。そのため、ナット８０の締め込み過ぎに起因して、キャリアー連結部７１及びホルダー接続部７２と、回転軸７３との相互の回動を阻害するようなことがない。
【００５３】
さらに、回転軸７３の外周には、ホルダー接続部７２とキャリアー連結部７１とが当接する部分などの３箇所にワッシャー８４，８５，８６が環装されている。これらのワッシャー８４，８５，８６は樹脂製であって、適度な摩擦力と弾力とを備え、ホルダー接続部７２が演奏中に不用意に回動しないように摩擦を与えるとともに、衝撃を緩衝し、がたつきや異音の発生を防止する。
【００５４】
図８（ｃ）に示すように、キャリアー連結部７１内には、周知のキャリアー８のＪ字形状部材１０が下側から差し込まれるための差込孔８８が形成されている。この差込孔８８に差し込まれたＪ字形状部材１０が差込孔８８に嵌合して、キャリアー８と支持装置１１とが連結される。そして、例えば演奏中の待機時には、Ｊ字形状部材１０とキャリアー連結部７１とが連結された状態で、固定フレーム１２を上方へ持ち上げるようにすれば、回転軸７３とホルダー接続部７２とが約９０度回転して、各ドラム２，３，４，５の配列面を演奏者の体とほぼ平行状態とすることができる（図８（ａ）の二点鎖線参照）。これにより、各ドラム２，３，４，５が待機時には邪魔にならないとともに、演奏者の肩にかかる負担が軽減される。
【００５５】
また、図８（ａ）に示すように、キャリアー連結部７１の下部には角度調節ボルト７４がロックナット８９を介して貫挿されている。貫挿された角度調節ボルト７４の先端は、接続用プレート８１に当接している。よって、この角度調節ボルト７４のねじ込み具合により、角度調節ボルト７４の先端の突出量が調節される。そして、これに伴い角度調節ボルト７４の先端が固定フレーム１２を押し上げたり押し下げたりするため、固定フレーム１２の角度を微調節できるようになっている。その結果、演奏者に対して、演奏時のマーチングテナードラム１の角度を、演奏しやすい任意の角度に設定できる。
【００５６】
（小径ドラム取付部１９）
次に、小径ドラム取付部１９について説明する。図１０は、小径ドラム取付部１９をその一部を断面図で示す平面図であって、図１１は、図１０のＧ−Ｇ線断面図であって、図１２は図１０のＨ−Ｈ線断面図である。
【００５７】
図１０〜図１２の各図に示すように、小径ドラム取付部１９は、長孔９１が形成されたベースプレート９２と、ベースプレート９２に案内されて前後にスライド可能な小径ドラム接続部９３と、固定フレーム１２にベースプレート９２を連結する連結部材９４とを含んで構成される。ベースプレート９２は、長手方向を前後方向に向けた水平に配置された板状部材で、長手方向に沿って前端部近傍と略中央部とに２つの長孔９１が形成されている。
【００５８】
小径ドラム接続部９３には、その下部において小径ドラム６，７が胴体部９０，９５（図１２参照）に、胴体部９０，９５の内側から挿入される２つずつのねじ９６（図１２参照）によって取り付けられている。そのため、小径ドラム６と小径ドラム７とが小径ドラム接続部９３を挟んで、左右に一体に接続されている。さらに、図１１，１２に示すように小径ドラム接続部９３の上部には、ベースプレート９２及び補助プレート９７が前後方向に挿通されており、小径ドラム接続部９３の上方から挿入される２つのねじ９８が、ベースプレート９２に形成された２つの長孔９１内をそれぞれ挿通するようにして設けられている。そして、ねじ９８の下端は補助プレート９７と螺合しており、２つのねじ９８及び小径ドラム接続部９３、補助プレート９７とが一体化され、一体化したこれらの部材がベースプレート９２の長孔９１に沿って前後方向にスライドできるようになっている。
【００５９】
ベースプレート９２の後方側（演奏者側）の下面には、ベースプレート９２を固定フレーム１２に連結する連結部材９４の前方に延設された部分の上面が当接され、ベースプレート９２の上方から挿入されるねじ１０１によって、連結部材９４はベースプレート９２に取り付けられている。この連結部材９４の後部は、下方に延設された部分を備え、全体が逆Ｌ字状に構成されている。
【００６０】
この連結部材９４の後側（図１１において左側）には、上下方向に設けられた空間である溝１０２が設けられる。この溝１０２は、図１０に示すように、連結部材９４の後部を上下方向に貫通する水平断面矩形の垂直プレート案内部１０２ａを備える。また、この垂直プレート案内部１０２ａの後側の面の左右方向の中央部に連なる部分には、垂直プレート案内部１０２ａに沿って形成された外部に貫通する開口部であるねじ案内部１０２ｂが設けられている。ねじ案内部１０２ｂは、垂直プレート案内部１０２ａの左右方向の幅より狭い溝状の平行な開口部を備える。
【００６１】
一方、固定フレーム１２の表面７６（図１１において左側）には、上下両端部を前方に折り曲げられた板状部材であるカバー部材１０４が固定フレーム１２を覆うように取り付けられている。
【００６２】
溝１０２の垂直プレート案内部１０２ａ内部には、垂直プレート１０３が配設される。垂直プレート１０３の左右方向の幅は、垂直プレート案内部１０２ａの幅と略同じで、垂直プレート１０３の前後方向の厚みは、垂直プレート案内部１０２ａの内寸より小さくなっている。そのため、垂直プレート１０３は、垂直プレート案内部１０２ａに対して、上下方向には相対移動自在で、左右方向にはその移動が規制される。なお、前後方向には、若干（例えば数ミリ）移動できる。
【００６３】
この構成によれば、ねじ１０６が締められると垂直プレート１０３が後側に移動し、連結部材９４は、垂直プレート案内部１０２ａよりも後側の部位が固定フレーム１２と垂直プレート１０３とで挟み込まれるため固定される。一方、ねじ１０６が緩められると、固定フレーム１２と垂直プレート１０３とが連結部材９４を挟み込む力が弱くなるため、連結部材９４は、図１１に実線及び二点鎖線で示すように、カバー部材１０４の上下方向の幅の範囲内で上下にスライドできるようになっている。このとき固定フレーム１２に固定されたねじ１０６及び垂直プレート１０３が、溝１０２により、上下方向へ相対的に案内される。その結果、連結部材９４は、固定フレーム１２に対して前後方向への移動が規制されつつ、垂直方向（上下方向）にスライドする。
【００６４】
なお、図１１に示す状態は、小径ドラム６，７が最上位置にある態様であって、カバー部材１０４の上端に連結部材９４の上端が当接している。この状態が通常の使用位置であって、このとき、小径ドラム６，７と大径ドラム２〜５の各ヘッドの高さが同一となるように設定されている。このように、カバー部材１０４の上端が小径ドラム６，７の高さの規定位置を示すストッパーとして機能している。
【００６５】
一方、図１１に二点鎖線で示すのは、連結部材９４を下方へスライドさせた際の最下位置にある態様であって、このとき、カバー部材１０４の下端に連結部材９４の下端が当接している。このように、カバー部材１０４の下端が、連結部材９４が下方へ向け落ちないためのストッパーとして機能している。
【００６６】
また、ねじ１０６を緩めることで、同時に垂直プレート１０３を介し連結部材９４を固定フレーム１２に挟み込む力が弱くなる。そのため、固定フレーム１２に形成される長孔９９にねじ１０６の軸部が案内され、長孔９９の左右方向の幅の範囲内で連結部材９４を左右方向にスライドすることができる。よって、小径ドラム６，７の左右方向の位置をも調節することができる。なお、小径ドラム６，７の左右方向の調節を必要としない場合には、長孔９９を円形状に変更すればよい（図１４、孔１００参照）。この場合、ねじ１０６を緩めることで、小径ドラム６，７の後述する上下方向のみの位置調節ができるため、調節しやすい構成とすることができる。
【００６７】
（位置調節方法及び作用）
次に、上記のように構成されるマーチングテナードラム１の支持装置１１における作用について説明する。おおまかな各ドラム２〜７の位置調節は以下のとおりである。この支持装置１１に支持された各ドラム２〜７をキャリアー８により保持した演奏者は、まず全体の（全てのドラムの）前後位置を調節する。そして、前後位置が定まったら、次に、両端の大径ドラム２，５の左右位置を調節する。そして、固定フレーム１２内における小径ドラム６，７の前後・上下方向の位置を調節し、最後に全体の角度（演奏者の体とドラム２〜７の配列面とのなす角度）を調節する。以下、各位置調節における作用について詳細に説明する。
【００６８】
まず、前提として第１連結機構１５及び第２連結機構１６における丸頭六角ナット４６、第３連結機構１７における角頭ナット６１のうち、動かしたいものをそれぞれある程度緩めておき、各連結機構１５，１６，１７において各大径ドラム２〜４が回動できるようにしておく。なお、これらのナットを緩めたり締めたりする際には、例えば図４に二点鎖線で示すような周知のチューニングキーを使用することができる。
【００６９】
（各ドラム２〜７の前後方向位置調節（図７〜図９参照））
前後方向の位置調節は、ホルダー部１８を左右方向にスライドさせることにより行う。２つのボルト７８（図８（ｂ）参照）を緩めると、固定フレーム１２を前後方向に挟み込む力を調整できる。このため、ボルト７８を緩めた場合にはホルダー接続部７２（ホルダー部１８）が固定フレーム１２の長孔７７の範囲内で左右方向にスライド可能となる。ホルダー接続部７２に差し込まれたＪ字形状部材１０の一端はキャリアー８に回動可能に固定されている。そのため、ホルダー部１８をスライドさせると、Ｊ字形状部材１０は、その回動可能に固定されたキャリアー８側の一端を中心に左右方向に回動する。これにより、演奏者と固定フレーム１２との距離（即ち演奏者から各ドラムまでの前後の距離）が変化し、各ドラム２〜７の前後方向位置調節がなされる（図１参照）。
【００７０】
例えば、図１の状態から、左右の各ホルダー部１８を近づけるように内側へスライドさせると、演奏者（キャリアー８の胴当部９）と固定フレーム１２との距離が大きくなる。そのため、各ドラム２〜７は演奏者から遠ざかる方向に調節される。なお、前後方向位置を調節した後は、ホルダー部１８の２つのボルト７８を締め、ホルダー部１８が不用意にスライドしないように固定する。
【００７１】
（大径ドラム２（５）の左右方向位置調節（図２、図３参照））
次に、大径ドラム２（５）の左右方向の位置調節は、第１連結機構１５（第２連結機構１６）のスライドプレート３６をスライドさせることにより行う。右側の大径ドラム２を例に説明すると、上記したように、スライドプレート３６は長孔４７の範囲内でスライドベース部３５を左右にスライドすることができるようになっている。このスライドプレート３６を例えば右にスライドさせると、スライドプレート３６に連結されたドラム接続部材３４が軸４３を中心に左回りに回動しつつ右方へ移動する。これに伴い、最も右端の大径ドラム２は右方へ位置が移動調節される。スライドプレート３６を左にスライドさせた場合は、上記と逆方向の作用によって、大径ドラム２は左方へ位置が移動調節されることになる。
【００７２】
ここで、大径ドラム３（第１ドラム部２２）と大径ドラム４（第２ドラム部２３）とは、第３連結機構１７にて回動可能に連結されている。本実施形態では上述のように、第１ドラム部２２を構成する大径ドラム２，３は第１固定部材１３で相互に固定されており、かつ、第１ドラム部２２は第１連結機構１５で固定フレーム１２に対して回動可能に支持されている。また、大径ドラム３と大径ドラム４とは互いに相対回動可能である。そのため、スライドプレート３６を右に移動させた場合、第１ドラム部２２は、第３連結機構１７を回転中心として変位する。そのため、右端の大径ドラム２は大きく変位するのに対し、中央の大径ドラム３の変位は小さい。また、第２連結機構１６を固定しておけば、大径ドラム４が大径ドラム３の動きにひきずられることはほとんどなく、図１の配列状態に調節後の各大径ドラム２〜５の位置を二点鎖線で示すようにその移動は僅かなものに抑えられる。つまり、左右両端の大径ドラム２，５の左右方向位置調節時において、先に調節しておいた中央の大径ドラム３、４の前後方向の位置はほとんど変化しない。
【００７３】
なお、第３連結機構１７における角頭ナット６１を緩めるとともに、左右の丸頭六角ナット４６を緩め、第１連結機構１５と第２連結機構１６のスライドプレート３６を同時にスライドさせることにより、中央の大径ドラム３，４を前後方向に大きく動かすような調整も可能である。
【００７４】
一方、上述したように、大径ドラム２，３は、第１固定部材１３及びドラム接続部材３４により第１ドラム部２２として強固に連結してある。また、第１ドラム部２２を固定フレーム１２に対して回動可能に支持している第１連結機構１５も固定フレーム１２に固定されている。そのため、大径ドラム２，３からなる第１ドラム部２２は固定フレーム１２に対して安定して支持される。
【００７５】
また、従来例（図１４参照）の支持装置１３１では、左右方向位置調節のためにホルダー部１８をスライドさせると、それに併せて演奏者とフレーム１３２との距離が変わり、前後方向の位置関係まで変化してしまっていた。しかし、本実施形態では、前後方向の位置調節を行う機構と左右方向の位置調節を行う機構とがそれぞれ固定フレーム１２に独立して設けられているため、こうした問題も起こりえない。
【００７６】
なお、最も左端の大径ドラム５の左右方向位置についても、上記と同様に第２連結機構１６のスライドプレートを左右方向にスライドさせることで調節される。そして、左右方向位置を調節した後は、第１連結機構１５及び第２連結機構１６の丸頭六角ナット４６、角頭ナット５１、さらに第３連結機構１７の角頭ナット６１をそれぞれ締めて、各大径ドラム２〜５を固定フレーム１２に対して固定する。
【００７７】
（小径ドラム６，７の前後方向位置調節（図１０〜図１２参照））
次に、小径ドラム６，７の前後方向の位置調節は、小径ドラム取付部１９の小径ドラム接続部９３（図１１参照）を前後方向にスライドさせることにより行う。上記したように、ねじ９８を緩めれば、小径ドラム接続部９３はベースプレート９２の長孔９１の範囲内で前後方向にスライドすることができるようになっている。この小径ドラム接続部９３を前後方向にスライドさせると、小径ドラム接続部９３に接続された小径ドラム６，７が前後方向に移動して、その位置が調節される。なお、前後方向位置を調節した後は、ねじ９８を締めて、小径ドラム接続部９３が不用意にスライドしないように固定する。
【００７８】
（小径ドラム６，７の上下及び左右方向位置調節（図１０〜図１２参照））
小径ドラム６，７の上下方向の位置調節は、小径ドラム取付部１９の連結部材９４（図１１参照）を上下方向にスライドさせることにより行う。上記したように、ねじ１０６を緩めれば、連結部材９４は上下方向にスライドすることができるようになっている。この連結部材９４を上下方向にスライドさせると、連結部材９４に連結されたベースプレート９２及び小径ドラム接続部９３等が併せて上下方向にスライドするため、小径ドラム６，７の上下方向の位置が調節される。
【００７９】
また、ねじ１０６を緩めると、連結部材９４を第２長辺部３２に対して左右方向にスライドすることもできるようになっている。この連結部材９４を左右方向にスライドさせると、小径ドラム６，７の左右方向の位置が調節される。
【００８０】
なお、上下及び左右方向位置を調節した後は、ねじ１０６を締めて、連結部材９４が不用意にスライドしないように固定する。
（各ドラム２〜７の角度調節）
最後に、各ドラムの角度調節は、ホルダー部１８の角度調節ボルト７４（図８（ａ）参照）により行う。例えば、角度調節ボルト７４を回してねじ込んだ場合、角度調節ボルト７４の先端が固定フレーム１２を押し上げるため、各ドラムは演奏者手前側へ下り勾配に傾斜する角度位置に調節される。
【００８１】
上記実施形態によれば、以下のような効果を得ることができる。
（１）上記実施形態では、第１固定部材１３及び第２固定部材１４にて隣り合う大径ドラム２，３及び大径ドラム４，５が、それぞれ第１ドラム部２２及び第２ドラム部２３として、各々のドラムセット内で互いに相対位置を固定されている。そのため、隣り合う２つのドラム同士はドラムセットとして一体に取り扱われ、且つ、このドラムセットは、重心に近い位置を固定フレーム１２に支えられている。従って、このドラムセットを極めて安定した状態で支持することができる。また、支持装置１１全体としての可動箇所が少なく、大径ドラム２〜５の位置を調節する際の可動箇所は３箇所となっている。例えば、大径ドラム２を左右方向に移動する場合、スライドプレート３６を右方向に移動させると、第１ドラム部２２は、第３連結機構１７を不動点として、第３連結機構１７の軸５８及び第１連結機構１５の軸４３を中心に回転して変位する。つまり、１つの滑り対偶と２つの回り対偶を構成する。このため、左右方向の位置調節時に、各大径ドラム２〜５の位置は拘束連鎖となるため、一義的に定まり、各大径ドラム２〜５が不確定に移動することがない。また、可動部分を有さず、強度的に有利な閉じた環状の略四角形の固定フレーム１２を備えており、フレーム自体の強度が高い。さらにこの固定フレーム１２を中心に、ここに固定された第１連結機構１５と第２連結機構１６において大径ドラム２〜５を支持しており、第１連結機構１５と第２連結機構１６との間の距離が変化しないため、大径ドラム２〜５を安定して支持することができる。
【００８２】
また、可動箇所が少ないことで、部材点数が減少するため、装置全体の重量を軽くすることができる。
（２）また、可動する箇所である第１連結機構１５と第２連結機構１６、第３連結機構１７においては、それぞれ連結されるドラムとドラム（若しくは固定フレーム１２）が相対回動可能とされているため、位置調節時における各大径ドラム２〜５をなめらかに移動させることができる。
【００８３】
（３）さらに、位置調節において、先に調節しておいた大径ドラム３、４の前後方向の位置をほとんど変化させずに、左右両端の大径ドラム２，５の左右方向の位置を調節することができる。
【００８４】
（４）上記実施形態では、小径ドラム取付部１９が固定フレーム１２の第２長辺部に設けてあり、この小径ドラム取付部１９に小径ドラム６，７の前後・上下・左右方向の位置調節をするための機構が設けてある。このため、大径ドラム２〜５とは独立して、小径ドラム６，７のみの固定フレーム１２内における前後・上下・左右方向の位置を調節することができる。
【００８５】
（５）上記実施形態では、脚部２１が３箇所に設けられているため、運搬時や保管時に床等に安定して載置させることができる。また、この状態で、上記詳述した位置調節をおおまかに行うこともできる。さらに、各脚部２１はねじ込み式になっており取り外しが容易に構成されているため、演奏時や収納時等には取り外すことができ、脚部２１が邪魔になることがない。
【００８６】
なお、上記実施形態は以下のように変更して実施してもよい。
・上記実施形態における固定フレーム１２は、略長方形形状の環状に形成したが、形状は限定されない。さらに、環状に形成されていなくてもよい。例えば、上記実施形態において第１長辺部３１がないコ字形状フレームとして実施することができる。
【００８７】
・上記実施形態における第１連結機構１５では、ドラム接続部材３４が大径ドラム２と大径ドラム３とを固定フレーム１２に連結するように構成したが、大径ドラム２のみを固定フレーム１２に連結する構成としてもよい。この場合であっても、第１固定部材１３で大径ドラム２と大径ドラム３とが相対位置を固定されているため、大径ドラム３を大径ドラム２と連動させることができる。
【００８８】
・上記実施形態において、第１固定部材１３及び第２固定部材１４はなくてもよい。この場合であっても、第１連結機構１５におけるドラム接続部材３４が大径ドラム２と大径ドラム３の相対位置を固定する固定手段としても機能しているため、上記実施形態と同様の効果を奏する。また、固定手段は、固定手段が強固に２個又は３個のドラムを固定し、これらを１つのドラムセットして扱えるようにできればよく、その方法は問わない。隣接する大径ドラムを相互に回動させる回動部材を有しながら、さらに固定手段で使用時に固定するものであってもよい。
【００８９】
・上記実施形態の第１連結機構１５及び第２連結機構１６では、スライドプレート３６をスライドさせることで大径ドラム２，３、大径ドラム４，５を固定フレーム１２に対して回動可能に連結するものとしたが、スライドさせる機構に限定されるものではない。例えば、図１３に示すように、スライドプレート３６に代えて、固定フレーム１２に回動可能に取り付けられるリンク部材１１１として構成してもよい。この場合、リンク部材１１１が回動するとそれに伴いリンク部材１１１に連結されたドラム接続部材３４が回動しつつ移動するため、上記実施形態と同様の効果を奏する。
【００９０】
・さらに、図１３に示すように、第３連結機構１７を固定フレーム１２に対して固定し、前後方向の動きが直線となり一定化するように構成してもよい。具体的には、例えば、固定フレーム１２から前方へ延設した基材プレート１１２に対して、この基材プレート１１２に形成される前後方向に長い長孔１１３内に第３連結機構１７が位置するように設けることで構成できる。この場合、左右両端部の大径ドラム２，５の左右方向位置を調節する際でも中央の２つの大径ドラム３，４が左右にずれることがなく、固定フレーム１２に対して左右方向の位置を常に一定にすることができる。また、外から加わる力に対して支持装置としての安定性も増す。さらに、左右４箇所の回動部（リンク部材１１１の両端部の回転部）はガタつくことなく回動可能としておけばよくロック機構が必要ないため、位置調節時に締めたり緩めたりする箇所が中央の一箇所のみでよく調節も容易である。
【００９１】
・図１３に示す別の実施形態において、本発明は、さらに次のように変形して実施することができる。すなわち、第３連結機構１７により大径ドラム３と大径ドラム４の相対位置を回動可能に連結するのに換えて、固定手段である第３固定部材１１７（不図示）により中央の両大径ドラム３，４の相対位置を変化しないように固定する。一方、第１連結機構１５及び第２連結機構１６に対応する部分では、大径ドラム２，３、大径ドラム４，５の相対位置を固定せずに左右両端の大径ドラム２，５を各々独立して回動可能な単独ドラムとして連結する構成とする。この場合、例えば、図１３に示すドラム接続部材３４及びリンク部材１１１を有する第１連結機構（第２連結機構）の構成に換えて以下のように構成する。まず、第１連結機構（第２連結機構）を、固定手段であるドラム接続部材３４に換えて、大径ドラム２，５を回動可能に連結する連結手段として構成されるドラム接続部材（不図示）を含んだ構成とする。そして、このドラム接続部材をリンク部材（例えば、リンク部材１１１）で支持し、第３固定部材１１７を固定フレーム１２に対して固定するようにして構成する。この構成における第１連結機構が本発明の第１回動手段に相当し、第２連結機構が本発明の第２回動手段に相当する。このような構成であっても、左右両端の大径ドラム２，５の左右方向位置を調節する場合、中央の２つの大径ドラム３，４の相対位置が第３固定部材１１７により固定されているため、大径ドラム３，４の前後方向位置がずれることなく、上記実施形態と同様の効果を奏すことができる。また、この場合も、２つの連続する大径ドラム３，４を、固定フレーム１２から延設した基材プレート１１２により重心に近い場所で支持するため、安定して支持することができる。
【００９２】
また、本発明はさらに以下のように変形して実施することができる。大径ドラム２〜５の数は、本実施形態に示す４個の例に限定されるものではない。例えば、図１３に二点鎖線で示すように、大径ドラム２，５の後方にそれぞれ固定手段によりさらに大径ドラム２’、５’を備えてもよい。この場合、マーチングテナードラム１は３組（大径ドラム２，２’の組、 大径ドラム３，４の組、大径ドラム５，５’の組）のドラムセットで構成され、これらドラムセット毎が一体に取り扱われる。これらのドラムセットは、できるだけ重心に近い位置で固定フレーム１２に支持されることが望ましい。このように構成することで、３つのドラムセットはドラムセット毎に一体に取り扱われ、且つ、これらのドラムセットは、各々が重心に近い位置を固定フレーム１２に支えられている。従って、これらのドラムセットを極めて安定した状態で支持することができる。この場合、可動箇所は、上記実施形態と同数で、各大径ドラム２〜５，２’， ５’の相対位置の調整時にも、安定してドラムを支持できるとともに、その調整位置も一義的に定まる。
【００９３】
また、このように大径ドラムを６個備えた場合は、さらに以下のように実施することができる。例えば、ドラムセットとして、大径ドラム２、２’と、大径ドラム３，４と、大径ドラム５，５’との３つのドラムセットに構成してもよい。
【００９４】
また、さらに別の態様として、大径ドラム２’と大径ドラム５’とは、単独で回動可能な単独ドラムとして構成し、大径ドラム２，３、大径ドラム４，５を、それぞれ固定手段で互いに相対位置を固定し、各々を一体に取り扱われるドラムセットとすることもできる。
【００９５】
いずれの場合も、各大径ドラム２〜５，２’， ５’を安定して支持でき、且つ各大径ドラム２〜５，２’， ５’の位置調節が容易となる。
・上記実施形態の脚部２１の位置は、適宜変更できる。例えば、図１３に示すように、固定フレーム１２上の３点にバランス良く設ける構成としてもよい。
【００９６】
・また、脚部２１は、ねじ込み式でなくてもよい。取付状態でガタつくことがなく、容易に取り外し可能であればその他の構成でも構わない。例えば、ガタつきを防止するために、脚部２１をその取り付け部にゴムを介して嵌め込むように構成してもよい。
【００９７】
・上記実施形態において、固定フレーム１２内に配置される小径ドラム６，７の個数は、２つに限定されるものではなく、例えば、図１に二点鎖線で示すように１つでもよい。この場合でも、図１４に示すように、上記実施形態と同様の小径ドラム取付部１９を利用して１つの小径ドラムを配置することができる。なお、この際、小径ドラム接続部９３の小径ドラムが取り付けられない箇所にはキャップ１０７（図１４に二点鎖線で示す。）を設けてもよい。さらに、大径ドラム２〜５の個数も場合に応じて変更することができる。
【００９８】
・上記実施形態のホルダー部１８は、ホルダー接続部７２とキャリアー連結部７１とが相対位置を固定されて一体化されているが、別個独立の構成としてもよい。具体的には、図１５に示すように、固定フレーム１２には、固定フレーム１２と別個独立したキャリアー連結部ベースプレート１０８を設け、このキャリアー連結部ベースプレート１０８に形成された長孔１０９にキャリアー連結部７１を左右方向にスライド可能に配置する。そして、一体化された回転軸７３を有するホルダー接続部７２を、キャリアー連結部ベースプレート１０８に固定する。一方、回転軸７３に上方から係合可能に形成された連結フック１１０を固定フレーム１２側に設ける。以上の構成により、単独でスライド可能なキャリアー連結部７１として構成することができる。
【００９９】
また、この変更例によれば、左右のキャリアー連結部７１が、左右方向以外には異なった移動をしない。即ち、角度方向にそれぞれ独立して移動することがなく、左右のキャリアー連結部７１がずれないため、キャリアー８のＪ字形状部材１０を容易にキャリアー連結部７１に連結することができる。
【０１００】
さらに、この別例によれば、演奏者はまず、キャリアー連結部７１と、キャリアー連結部ベースプレート１０８と、ホルダー接続部７２とで構成される部材をＪ字形状部材１０に連結させ、その後、回転軸７３に連結フック１１０を上方から引っ掛けるようにしてマーチングテナードラム１を装着することができる。つまり、主にキャリアー連結部ベースプレート１０８をキャリアー８に取り付ける段階と、各ドラム２〜７が支持された固定フレーム１２をキャリアー連結部ベースプレート１０８に取り付ける段階との２段階を経ることで、装着しやすい構成とすることができる。
【０１０１】
・上記実施形態における各ドラム２〜７の位置調節の順序は、適宜変更できる。例えば、各ドラム２〜７のおおまかな前後左右方向の位置調節を床に載置した状態で行い、その後、支持装置１１に支持されたマーチングテナードラム１を装着して角度調節等の微調節を行うようにしてもよいし、左右方向位置を調節した後に前後方向位置を調節してもよい。
【０１０２】
次に、前記各実施形態及び別例から把握できる技術的思想について、以下に付記として追記する。
（付記１）前記固定フレームは当該固定フレームと独立したベースプレート部を有し、当該ベースプレート部はキャリアーが連結されるキャリアー連結部を有し、前記ベースプレート部は前記固定フレームに対して着脱可能に連結されることを特徴とする請求項４乃至請求項１２のうちいずれか１項に記載のマーチングテナードラムの支持装置。
【図面の簡単な説明】
【０１０３】
【図１】本実施形態のマーチングテナードラムの支持装置の一例を示す図であって、使用時における態様を示す概略平面図。
【図２】第１連結機構の構成を示す平面図。
【図３】図２におけるＡ−Ａ線断面図。
【図４】第３連結機構の構成を示す図であって、図１におけるＢ−Ｂ線断面図。
【図５】第２長辺部の左端部に設けられる脚部の取付け部分を示す左側面図。
【図６】第２長辺部の左端部に設けられる脚部の取付け部分を示す水平断面図。
【図７】ホルダー部の構造を示す正面図。
【図８】ホルダー部の構造を示す断面であって、（ａ）は、図７におけるＣ−Ｃ線断面図、（ｂ）は、図７におけるＤ−Ｄ線断面図、（ｃ）は、図７におけるＥ−Ｅ線断面図である。
【図９】図７におけるＦ−Ｆ線断面図。
【図１０】小径ドラム取付部をその一部を断面図で示す平面図。
【図１１】図１０におけるＧ−Ｇ線断面図。
【図１２】図１０におけるＨ−Ｈ線断面図。
【図１３】別な実施形態のマーチングテナードラムの支持装置を示す平面図。
【図１４】別な実施形態における小径ドラムの配置を示す平面図。
【図１５】別な実施形態におけるホルダー部の構成を示す斜視図。
【図１６】従来のマーチングテナードラムの支持装置の一例を示す概略平面図。
【図１７】図１６における支持装置の主要部であるフレームの構成を示す斜視図。
【符号の説明】
【０１０４】
１…マーチングテナードラム、２…大径ドラム（一端側ドラム）、３，４…大径ドラム、５…大径ドラム（他端側ドラム）、６，７…小径ドラム（枠内ドラム）、８…キャリアー（保持具）、９…胴当部、１０…Ｊ字形状部材、１１，１３１…マーチングテナードラムの支持装置、１２…固定フレーム。１３…第１固定部材（固定手段、第１固定手段、第１ドラム部固定手段）、１４…第２固定部材（固定手段、第２固定手段、第２ドラム部固定手段）、１５…第１連結機構（第１連結手段）、１６…第２連結機構（第２連結手段）、１７…第３連結機構（連結手段、第３連結手段）、１８…ホルダー部、１９…小径ドラム取付部（枠内ドラム前後方向位置調節手段、枠内ドラム上下方向位置調節手段）、２１…脚部、２２…第１ドラム部、２３…第２ドラム部、３１…第１長辺部、３２…第２長辺部、３３…短辺部、３４…ドラム接続部材（固定手段）、３５…スライドベース、３６スライドプレート、５５…第１接続部材、５７…第２接続部材、１１７…第３固定部材（固定手段）。
【図１】
2006184856.tif 000003
【図２】
2006184856.tif 000004
【図３】
2006184856.tif 000005
【図４】
2006184856.tif 000006
【図５】
2006184856.tif 000007
【図６】
2006184856.tif 000008
【図７】
2006184856.tif 000009
【図８】
2006184856.tif 000010
【図９】
2006184856.tif 000011
【図１０】
2006184856.tif 000012
【図１１】
2006184856.tif 000013
【図１２】
2006184856.tif 000014
【図１３】
2006184856.tif 000015
【図１４】
2006184856.tif 000016
【図１５】
2006184856.tif 000017
【図１６】
2006184856.tif 000018
【図１７】
2006184856.tif 000019